(57)【要約】【課題】家事をしながら、ふくらはぎをストレッチすることができるサンダルを提供する。【解決手段】サンダル本体３と、サンダル本体３の後寄りに枢着されたソール部材４を有する。サンダル本体３の上面３ａを前方上傾状とする。サンダル本体３が地面Ｇと成す角度θを複数段に可変に構成する。サンダル本体３とソール部材４の間に、サンダル本体３が地面Ｇと成す角度θが減少する方向へ弾発付勢する弾性部材を設ける。角度θを調整するためのカムと、カムに回転力を与えるつまみ２を備えるとともに、ソール部材４がカムを受けるカム受け凹部を有する。【選択図】図１
2013165895.tif 000002
【特許請求の範囲】
【請求項１】
サンダル本体（３）と、該サンダル本体（３）の後寄りに枢着されたソール部材（４）を有し、サンダル本体（３）の上面（３ａ）を前方上傾状としたサンダルであって、上記サンダル本体（３）が地面（Ｇ）と成す角度（θ）を複数段に可変に構成したことを特徴とするサンダル。
【請求項２】
上記サンダル本体（３）と上記ソール部材（４）の間に、上記サンダル本体（３）が地面（Ｇ）と成す角度（θ）が減少する方向へ弾発付勢する弾性部材（７）を設けた請求項１記載のサンダル。
【請求項３】
上記角度（θ）を調整するためのカム（６）と、該カム（６）に回転力を与えるつまみ（２）を備えるとともに、上記ソール部材（４）が上記カム（６）を受けるカム受け凹部（17）を有する請求項１又は２記載のサンダル。
【請求項４】
親指と人指し指の間で挟むずれ止め用突起（18）を前端係止部（19）に有する請求項１，２又は３記載のサンダル。
【請求項５】
足（Ｆ）が後方へずれて外れるのを防止するための突隆壁（20）を後端部（23）に有する請求項１，２，３又は４記載のサンダル。
【請求項６】
足（Ｆ）に取着するための引掛ベルト（１）を有し、該引掛ベルト（１）が閉環状に形成され、上記引掛ベルト（１）を挟持固定するための固定裏板（15）を有する請求項１，２，３，４又は５記載のサンダル。
【請求項７】
上記固定裏板（15）が、上記引掛ベルト（１）の左右側面部（21）を上方へ保持して該引掛ベルト（１）の上半部位をアーチ状とする起立保持片部（22）を有する請求項６記載のサンダル。
【発明の詳細な説明】
【技術分野】
【０００１】
本発明は、サンダルに関する。
【背景技術】
【０００２】
従来、ふくらはぎをストレッチするには、例えば、ベルトを用いてストレッチしていた（例えば、特許文献１参照）。
【０００３】
しかし、ストレッチ用の器具を用いる場合も、特に何も器具等を用いないでストレッチする場合も、ストレッチのための専用の時間を必要とするという欠点があった。
【先行技術文献】
【特許文献】
【０００４】
【特許文献１】特開２０１０−２６４１０８号公報
【発明の概要】
【発明が解決しようとする課題】
【０００５】
解決しようとする課題は、ストレッチのために専用の時間を必要とする点である。すなわち、ストレッチをしている間は基本的に他のことができない点である。特に、ふくらはぎのストレッチをしている間、足は単にストレッチをするのみになる点である。
【課題を解決するための手段】
【０００６】
そこで、本発明に係るサンダルは、サンダル本体と、サンダル本体の後寄りに枢着されたソール部材を有し、サンダル本体の上面を前方上傾状としたサンダルであって、サンダル本体が地面と成す角度を複数段に可変に構成したものである。
また、サンダル本体とソール部材の間に、サンダル本体が地面と成す角度が減少する方向へ弾発付勢する弾性部材を設けたものである。
また、角度を調整するためのカムと、カムに回転力を与えるつまみを備えるとともに、ソール部材がカムを受けるカム受け凹部を有するものである。
【０００７】
また、親指と人指し指の間で挟むずれ止め用突起を前端係止部に有するものである。
また、足が後方へずれて外れるのを防止するための突隆壁を後端部に有するものである。
また、足に取着するための引掛ベルトを有し、引掛ベルトが閉環状に形成され、引掛ベルトを挟持固定するための固定裏板を有するものである。
また、固定裏板が、引掛ベルトの左右側面部を上方へ保持して引掛ベルトの上半部位をアーチ状とする起立保持片部を有するものである。
【発明の効果】
【０００８】
本発明のサンダルによれば、他のことをしながらふくらはぎをストレッチすることができる。例えば、家事（炊事、洗濯物干し等）をしながら、ふくらはぎをストレッチすることができる。
【図面の簡単な説明】
【０００９】
【図１】本発明の実施の一形態の使用状態を示す側面図である。
【図２】最大開閉状態を示す側面図である。
【図３】断面側面図を示す。
【図４】カムを示す斜視図である。
【図５】カムを示す正面図である。
【図６】図５のＸ−Ｘ断面図である。
【図７】回転部材を示す平面図である。
【図８】図７のＹ−Ｙ断面図である。
【図９】固定裏板を示す斜視図である。
【図１０】ソール部材を示す斜視図である。
【図１１】平面図である。
【図１２】側面図である。
【図１３】正面図である。
【図１４】最小開閉状態を示す説明図である。
【図１５】説明図である。
【図１６】説明図である。
【図１７】最大開閉状態を示す説明図である。
【発明を実施するための形態】
【００１０】
図１は、本発明の実施の一形態の使用状態を示す。このサンダルは、足に取着するための引掛ベルト１，１を有するストレッチ用のサンダルである。回転自在なつまみ（回転ノブ）２を指にて回転させることにより、樹脂製サンダル本体３に対する樹脂製ソール部材４の開閉角度が相対的に変化して、サンダル本体３が地面（床）と成す角度θが複数段（例えば４段階）に可変に構成される（増減可能である）。サンダル本体３とソール部材４とは枢着軸部５にて、角度θを増減可能に枢着される。サンダル本体３の上面３ａが前方上傾状である。
【００１１】
図１に示した最も閉じた状態から、図２に示すソールを最大に開いた状態まで、サンダル本体３に対するソール部材４の開閉角度は、変化可能であり、つまみ２を回転させると、サンダル本体３とソール部材４との間の内部空間に内蔵されたカム６（図３〜図６参照）が回転して、上記開閉角度が変化する。そして、足Ｆを引掛ベルト１，１に差込んで履けば、つま先Ｔが上方を向くので、脹脛（ふくらはぎ）Ｈ及びその近傍部位のストレッチ運動が自動的に行い得る。
【００１２】
図３に示すように、サンダル本体３とソール部材４の間に、サンダル本体３が地面Ｇと成す角度θが減少する方向へ弾発付勢する弾性部材７が設けられる。
角度θを調整するためのカム６（図３〜図６参照）と、カム６に回転力を与える回転部材８（図７・図８参照）を備える。カム６が円筒部９を備える。円筒部９の内周面10に、回転部材８と一体的に回転可能とするための突条部11が形成される。
【００１３】
回転部材８の一端に、つまみ２が形成される。回転部材８が、回転軸部12を有する。回転軸部12の外周面13に、カム６の突条部11が軸心方向にスライド自在に嵌合する軸心方向の溝部14を、有する。回転軸部12が、サンダル本体３の下面３ｂに（例えばネジにて）固着される樹脂製固定裏板15（図３・図９参照）の保持筒部16に挿通され、回転自在に保持される。
【００１４】
図10に示すように、ソール部材４がカム６（図３〜図６参照）を受けるカム受け凹部17を有する。
【００１５】
図11〜図13に示すように、親指と人指し指の間で挟むずれ止め用突起18を前端係止部19に有する。足Ｆ（図１参照）が後方へずれて外れるのを防止するための突隆壁20を後端部23に有する。
【００１６】
図12・図13に示すように、引掛ベルト１が閉環状に（エンドレスに）形成され、引掛ベルト１を挟持固定するための固定裏板15を有する。図９・図11〜図13に示すように、固定裏板15が、引掛ベルト１の左右側面部21を上方へ保持して引掛ベルト１の上半部位をアーチ状とする起立保持片部22を有する。なお、起立保持片部22を具備しない場合、図13に２点鎖線にて示すように、引掛ベルト１の左右側面部21が左右方向に倒れてしまう。すなわち、引掛ベルト１の姿勢が扁平状となる。24は、滑り止めのゴムシートを示す。すなわち、接地部にゴムシート24が付設されている。
【００１７】
次に、図14〜図17を用いて、サンダル本体３（図１〜図３参照）に対するソール部材４の開閉角度が相対的に変化する機構について説明する。すなわち、回転部材８（図７・図８参照）のつまみ２を回転させると、回転軸部12を介してカム６に回転力が伝わり、カム６が回転する。カム６は、サンダル本体３に対するソール部材４の開閉角度が４段階に切り換え自在となるように構成されている。
【００１８】
具体的には、回転軸心Ｒからのラジアル方向の距離が大小順次異なる４つの外方アール部６ａ，６ｂ，６ｃ，６ｄ（回転軸心Ｒからのラジアル方向の距離が小さいものから順に６ａ，６ｂ，６ｃ，６ｄとする）を有する。図14は、外方アール部６ａがソール部材４のカム受け凹部17にて受けられている状態を示す。この状態では、サンダル本体３に対するソール部材４の開閉角度が一番小さい。言い換えると、サンダル本体３が地面（床）と成す角度θが最小の最小開閉状態（図１・図３参照）となる。
【００１９】
図14の状態から、つまみ２を回転させてカム６を時計回りに回転させると、図15に示すように、回転軸心Ｒからのラジアル方向の距離が２番目に小さい外方アール部６ｂがカム受け凹部17に受けられ、角度θが少し大きくなる。さらに、カム６を時計回りに回転させると、順に、図16に示すように、外方アール部６ｃがカム受け凹部17に受けられた状態となる。
【００２０】
さらにカム６を時計回りに回転させると、図17に示すように、外方アール部６ｄがカム受け凹部17に受けられた状態となる。この状態が、サンダル本体３に対するソール部材４の開閉角度が一番大きい。言い換えると、サンダル本体３が地面（床）と成す角度θが再大の最大開閉状態（図２参照）となる。
【００２１】
図17に示す最大開閉状態からカム６を反時計回りに回転させると、上述の逆の順序で、カム受け凹部17に、外方アール部６ｃ、外方アール部６ｂが受けられ、最終的に、図14の最小開閉状態とすることができる。
【００２２】
なお、図２・図３に於いて、引掛ベルト１を図示省略した。また、図13に於て、前方側の引掛ベルト１を図示省略した。
本発明は、設計変更可能であって、例えば、カム６が２つ、３つ、５つ等の外方アール部を有するも良い。すなわち、サンダル本体３が地面（床）と成す角度θを、２段階、３段階、５段階等に可変に構成するも良い。
【００２３】
以上のように、本発明は、サンダル本体３と、サンダル本体３の後寄りに枢着されたソール部材４を有し、サンダル本体３の上面３ａを前方上傾状としたサンダルであって、サンダル本体３が地面Ｇと成す角度θを複数段に可変に構成したので、他のことをしながらふくらはぎをストレッチすることができる。例えば、家事（炊事、洗濯物干し等）をしながら、ふくらはぎをストレッチすることができる。また、所望の角度θを選択して、適切な角度θとして履くことができる。すなわち、体型、体質、年齢等に応じて角度θを増減させることができる。
【００２４】
また、サンダル本体３とソール部材４の間に、サンダル本体３が地面Ｇと成す角度θが減少する方向へ弾発付勢する弾性部材７を設けたので、サンダル本体３とソール部材４とのがたつきを防止することができる。
また、角度θを調整するためのカム６と、カム６に回転力を与えるつまみ２を備えるとともに、ソール部材４がカム６を受けるカム受け凹部17を有するので、簡単な構成にて、つまみ２を回転させることにより容易かつ確実に角度θを調整することができる。
【００２５】
また、親指と人指し指の間で挟むずれ止め用突起18を前端係止部19に有するので、足Ｆがずれるのを防止することができる。
また、足Ｆが後方へずれて外れるのを防止するための突隆壁20を後端部23に有するので、足Ｆが後方へずれることを確実に防止することができる。
【００２６】
また、足Ｆに取着するための引掛ベルト１を有し、引掛ベルト１が閉環状に形成され、引掛ベルト１を挟持固定するための固定裏板15を有するので、引掛ベルト１がサンダル本体３から離脱することを確実に防止することができる。
また、固定裏板15が、引掛ベルト１の左右側面部21を上方へ保持して引掛ベルト１の上半部位をアーチ状とする起立保持片部22を有するので、引掛ベルト１が左右方向に広がるように扁平状に変形して足Ｆを差し込みづらくなることを防止することができる。すなわち、引掛ベルト１の上面部とサンダル本体３の上面３ａとの間を広くすることができ、足Ｆを容易に差込むことができる。
【符号の説明】
【００２７】
１  引掛ベルト
２  つまみ（回転ノブ）
３  サンダル本体
４  ソール部材
６  カム
７  弾性部材
15  固定裏板
17  カム受け凹部
18  ずれ止め用突起
19  前端係止部
20  突隆壁
21  左右側面部
22  起立保持片部
23  後端部
Ｆ  足
Ｇ  地面
θ  角度
【図１】
2013165895.tif 000003
【図２】
2013165895.tif 000004
【図３】
2013165895.tif 000005
【図４】
2013165895.tif 000006
【図５】
2013165895.tif 000007
【図６】
2013165895.tif 000008
【図７】
2013165895.tif 000009
【図８】
2013165895.tif 000010
【図９】
2013165895.tif 000011
【図１０】
2013165895.tif 000012
【図１１】
2013165895.tif 000013
【図１２】
2013165895.tif 000014
【図１３】
2013165895.tif 000015
【図１４】
2013165895.tif 000016
【図１５】
2013165895.tif 000017
【図１６】
2013165895.tif 000018
【図１７】
2013165895.tif 000019